(57)【要約】  【課題】端子を備える撮像装置において、端子周りにプラグ外形を逃げた凹形状全体を保護カバーで覆う構成となっている為、指掛けを設ける面積分の分、保護カバーが大きくなる為、小型化の妨げとなっていた。また、操作性確保の為、開動作時の指掛けを本体および保護カバーそれぞれに設ける必要があり、構造が複雑化していた。  【解決手段】本体に入出力端子の周りに凹形状を有し凹形状が端子保護カバーが、入出力プラグ外形の投影面の領域全てを覆わず、保護カバー部材が保護カバー開状態において外部入出力プラグ外形の投影面の領域に保護カバーが掛からないように保護カバーの一部を切り欠いた形状を有する。本体凹部と、保護カバーの切り欠き形状による隙間が保護カバー開動作時の指かけとなる。【選択図】図１
2014170150.tif 000002
【特許請求の範囲】
【請求項１】
撮像装置本体に、外部入出力端子を有し、本体に対して開閉可能な前記外部入出力端子を保護するカバー部材を有する撮像装置において、
本体に配設された外部入出力端子の周りに凹形状を有し、前記凹形状が前記保護カバーが、外部入出力プラグ外形の投影面の領域全てを覆わず、前記保護カバー部材が、保護カバー開状態において外部入出力プラグ外形の投影面の領域に保護カバーが掛からないように保護カバーの一部を切り欠いた形状を有し、前記本体凹部は保護カバー開動作時に、指の挿入口となり、保護カバーの切り欠き形状ば保護カバー開動作時の指かけとなることを特徴とする撮像装置。
【請求項２】
外部入力端子部を保護するカバーが、外部入出力プラグ挿入時にプラグ外形を支持するように構成されていることを特徴とする請求項１に記載の撮像装置。
【発明の詳細な説明】
【技術分野】
【０００１】
本発明は、撮像した画像に応じた画像データを生成する撮像装置において、外部装置との間でのデータの入出力を行うための外部入力あるいは外部出力機能を有する端子のカバー構成に関するものである。
【背景技術】
【０００２】
近年、撮像装置は携帯時の利便性等の理由から小型化が進み、外部装置との入出力を行う外部入出力端子、前記端子類を保護するカバー及びスイッチ類を配置するスペースが限られている。
【０００３】
また、端子を配置する撮像装置本体において、プラグ挿入時のプラグとの干渉を防ぐ為にプラグの投影面の領域より大きい凹形状を本体側に設けている(特許文献１、２参照）。
【先行技術文献】
【特許文献】
【０００４】
【特許文献１】特開２００６−２０１２５１号公報
【特許文献２】特開２００４−３４３６３１号公報
【発明の概要】
【発明が解決しようとする課題】
【０００５】
しかしながら、プラグ外形を逃げた凹形状全体を保護カバーで覆う構成となっている為、指掛けを設ける面積の分、保護カバーが大きくなる為、小型化の妨げとなっていた。
【０００６】
また、操作性確保の為、開動作時の指掛けを本体および保護カバーそれぞれに設ける必要があり、構造が複雑化していた。
【０００７】
また、プラグ挿入時、不用意に前記プラグを引っ張ったり、押したりした場合にプラグに掛かった負荷により、端子が基板から剥離したり端子自体が破損することがあった。
【課題を解決するための手段】
【０００８】
本発明の撮像装置は、撮像装置本体に外部入出力端子部を有し、本体に対して開閉可能な前記外部入出力端子部を保護するカバー部材を有する撮像装置において、
本体に外部入出力端子部の周りに凹形状を有し、前記凹形状を前記保護カバーが、外部入出力プラグ外形の投影面の領域全てを覆わず、前記保護カバー部材が、保護カバー開状態において外部入出力プラグ外形の投影面の領域に保護カバーが掛からないように保護カバーの一部を切り欠いた形状を有し、保護カバーの切り欠き形状は保護カバー開動作時の指かけとなり、前記本体凹部は保護カバー開動作時に、指の挿入口となることを特徴としている。
【０００９】
また、本発明の他の特徴とするところは、外部入力端子部を保護するカバーが、外部入出力プラグ挿入時にプラグ外形の支持する構成となることを特徴としている。
【発明の効果】
【００１０】
以上説明したように、本発明によれば、プラグ外形を逃げる凹形状と保護カバーを開ける際に指掛けに指を挿入する為の逃げ形状を兼ねることができる為、保護カバーの開動作の操作性を向上できる。
【００１１】
また、プラグ外形を逃げる凹形状を保護カバーを開ける際に指掛けに指を挿入する為の逃げ形状と兼ねることで、端子保護カバーを小さくすることができ、撮像装置の小型化ができる。
【００１２】
また、保護するカバーが、外部入出力プラグ挿入時にプラグ外形の支持する形状となっていることで、端子の破損を防止できる。
【図面の簡単な説明】
【００１３】
【図１】本発明の第1の実施形態におけるビデオカメラの正面図（保護カバー閉状態）
【図２】本発明の第1の実施形態におけるビデオカメラの正面図（保護カバー開状態）
【図３】本発明の第1の実施形態における保護カバー部の詳細図（保護カバー開状態）
【図４】本発明の第1の実施形態における保護カバー部のＡ−Ａ断面図（保護カバー開状態）
【図５】本発明の第1の実施形態における保護カバー取り付け構造の詳細図
【図６】本発明の第1の実施形態における端子取り付け構造の詳細図
【図７】本発明の第1の実施形態におけるプラグ挿入時の斜視図
【図８】本発明の第1の実施形態における指掛け部の説明図
【発明を実施するための形態】
【００１４】
＜第１の実施形態＞
以下、本発明の第1の実施形態について図面を参照しながら説明する。
【００１５】
図１は、本発明の第1の実施形態におけるビデオカメラの正面図（保護カバー閉状態）、図２は本発明の第1の実施形態におけるビデオカメラの正面図（保護カバー開状態）を示す図である。
【００１６】
図３、４は前記保護カバーの詳細図、図５は図２のＡ−Ａ断面図である。
【００１７】
図１に示すように本発明の撮像装置本体101には、前記撮像装置本体101に開閉可能に取り付けられた外部入出力端子保護カバー103が配設されており、外部入出力プラグ挿入時には、開状態として使用し、それ以外の際は閉状態として使用する。
【００１８】
また、図２、３に示すように撮像装置本体101には外部入出力端子110及び111が配設されており、前記保護カバー103を閉状態とすることでゴミや埃が端子部に入らないよう保護することができる。
【００１９】
図３及び４に示すように前記撮像装置本体101には前記外部入出力端子110、111周りに凹形状が設けてあり、外部入出力プラグ112挿入の際に、前記プラグの挿入を妨げないようにプラグ外形の投影面の領域より大きい面積で凹形状が形成されている（102）。
【００２０】
また、図５に示すように前記保護カバーは軸部材118により前記撮像装置本体101に回動可能に取り付けされている。
【００２１】
次に前記外部入出力端子110、111の取り付け構造について図６を用いて説明する。
【００２２】
外部入出力端子110、111は基板115に実装されており、金属フレーム116などに前記基板115を取り付け、前記金属フレーム116を前記撮像装置本体101にビス117で締結することで固定されている。
【００２３】
また、図３に示すように前記保護カバー103には前記プラグ112外形に沿った形状で切り欠き形状（104）が形成されている。
【００２４】
また、図４に示すように本発明によれば、前記入出力プラグ112を挿入した状態（図７の状態）において、前記切り欠き形状104に前記プラグ112外形が収まっている為、不用意に前記プラグ112を引っ張ったり押したりしてプラグ112に負荷が与えられた場合に、前記プラグ112の外形を前記保護カバー103で支持することができ、端子110に掛かる負荷を低減でき、端子110破損を防止できる。
【００２５】
次に本発明における前記端子保護カバー103の閉状態について図８を用いて説明する。
【００２６】
操作者が前記保護カバー103の開動作を行う場合に、操作者の指120を前記端子保護カバー103の閉状態において、前記凹形状102及び切り欠き形状104により形成される隙間に、挿入することで、容易に前記保護カバー103を開けることが可能となる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２８】
101  撮像装置本体
103  外部入出力端子保護カバー
110及び111外部入出力端子
【図１】
2014170150.tif 000003
【図２】
2014170150.tif 000004
【図３】
2014170150.tif 000005
【図４】
2014170150.tif 000006
【図５】
2014170150.tif 000007
【図６】
2014170150.tif 000008
【図７】
2014170150.tif 000009
【図８】
2014170150.tif 000010